(57)【要約】【課題】軽量かつコンパクトで、効率的に加湿できる加湿器を提供することを目的とする。【解決手段】水槽部３６に一定の水位を保つように給水する給水用水タンク２３と、室内の乾燥した空気を取入れる吸込口３２と、室内に湿った空気を送る吹出口３３と、両口３２、３３間を連絡する風路中に配設された送風装置３０と、この送風装置３０の出口側に配設されたヒータ３４と、下端部を水槽部３６内の水に浸漬した気化フィルター３７と、該気化フィルター３７の周囲を保持するフィルターケース５０とにより構成された加湿器において、前記フィルターケース５０は風路方向と平行に回転自在とし、風路方向に開口していて風路方向と平行な左右が平板で上下面５０ａは回転半径と同一半径の円弧状とし、且つ、フィルターケース５０が回転時に通過する風路上面部４２は、前記フィルターケース５０の上下面５０ａと所定の間隙を保持すべく円弧形状とした。【選択図】  図１
2005037011.tif 000002
【特許請求の範囲】
【請求項１】
水槽部（３６）と、この水槽部（３６）に一定の水位を保つように給水する給水用水タンク（２３）と、室内の乾燥した空気を取入れる吸込口（３２）と、室内に湿った空気を送る吹出口（３３）と、両口（３２）、（３３）間を連絡する風路中に配設された送風装置（３０）と、この送風装置（３０）の出口側に配設されたヒータ（３４）と、下端部を水槽部（３６）内の水に浸漬した気化フィルター（３７）と、該気化フィルター（３７）の周囲を保持するフィルターケース（５０）とにより構成され、前記送風装置（３０）によって吸込口（３２）から吸い込まれた室内の乾燥した空気をヒータ（３４）を通過させて加熱した後、水槽部（３６）の水により湿潤した気化フィルター（３７）を通過させ、吹出口（３３）から吹き出すようにした加湿器において、前記フィルターケース（５０）は風路方向と平行に回転自在とし、風路方向に開口していて風路方向と平行な左右が平板で上下面（５０ａ）は回転半径と同一半径の円弧状とし、且つ、前記フィルターケース（５０）が回転時に通過する風路上面部（４２）は、前記フィルターケース（５０）の上下面（５０ａ）と所定の間隙を保持すべく円弧形状としたことを特徴とする加湿器。
【発明の詳細な説明】
【０００１】
【発明の属する技術分野】
本発明は、気化式の加湿器に関するものである。
【０００２】
【従来の技術】
従来のこの種の気化式の加湿器は、例えば図４に示すような構造のものが一般に知られている。
【０００３】
すなわち、１は横長箱型の加湿器本体、２は本体１内の下部に設けられた水槽で、カートリッジ式の給水用水タンク３等によって給水される。
【０００４】
４は加湿ドラムで、外周にウレタンフォーム（発泡体）よりなる円筒状の加湿フィルター５を装着し、一方を閉じた閉止部６とし、他方を開口部７とし、中心軸８で本体１に回転軸としてささえられ、加湿フィルター５の下部を水槽２の水面下に浸漬させている。
【０００５】
９はギヤモータで、加湿ドラム４を回転させる駆動軸を有し、加湿ドラム４の中心軸８を回転させる。
【０００６】
１０は本体１内に配設された送風機で、水槽２内の加湿ドラム４の開口部７から内部に送風する。
【０００７】
１１は中心軸８に取付けられた風向体で、加湿フィルター５の表面から出る空気の風速が弱まる点から閉止部６まで加湿ドラム４のほぼ内径に沿うように円錐状に形成されている。
【０００８】
その動作は、まず、給水用水タンク３から水槽２に水が供給され、水槽２内の水は一定の水位に保たれ、その水位に浸るように加湿ドラム４が回転し、周囲に取付けた加湿フィルター５は発泡体であるため、その空泡部に水滴が付着したり、膜ができたりして水を含んだ状態となる。
【０００９】
次に、送風機１０を駆動して加湿ドラム４の開口部７から内部に送風すると、空気は加湿フィルター５を通過して外部に吹き出される。
【００１０】
加湿ドラム４の中を空気が通過すると、加湿フィルター５内の水滴や膜が壊れ加湿しなくなるが、加湿フィルター５は加湿ドラム４の回転により再び水を含んだ状態となる。
【００１１】
したがって、加湿ドラム４の内部に送風された空気は風向体１１に沿って加湿フィルター５を通過し、加湿フィルター５の表面から湿った空気が吹き出され、これが室内に放出されて室内を加湿する（例えば特許文献１参照）。
【００１２】
しかしながら、上記の従来技術において、加湿フィルター５は、ウレタンを発泡させ、その発泡で出来た空泡部を利用して加湿フィルター５を一度水没させることにより空泡に水滴を保持したり、膜を作り、この状態の中に風を通すことにより、風は水滴を破壊したり膜を破って風を湿潤させているものであった。
【００１３】
このため、風が一度通過するとその後の風は素通りして加湿効率が悪くなるため、所定の加湿量を確保するには、本体１を大きくし、加湿フィルター５を大きくするとともに風の量を増す等の対応をする必要があった。
【００１４】
ところで、近年では軽量で、かつコンパクト化が要求されており、図５、図６、図７に示すような構成のものが提案されている。但し、この特許文献は未だ公開されていない。
【００１５】
図５はその加湿器の要部を示す正面断面図、図６は同じく要部を示す側面断面図、図７は同じく気化フィルターの斜視図である。
【００１６】
図において、２１は本体、２２はこの本体２１内の下部に配設された水槽、３６は水槽２２の横に並べて配設された水槽部で、両者は樹脂で一体に成形され、ともに底部で連なって同一レベルの水を貯水する。
【００１７】
２３はカートリッジ式の給水用水タンクで、水槽２２に一定の水位を保つように給水している。
【００１８】
３２は室内の乾燥した空気を本体２１内に取入れる吸込口で、本体２１の側面に開口している。
【００１９】
３３は室内に湿った空気を送る吹出口で、本体２１の上面に開口している。
【００２０】
３０は送風装置で、吸込口３２から吹出口３３に至る風路中に配設されていて、この出口側には、風を加熱するヒータ３４と、図７に示すように全面に小穴３７ａが明けられた吸水性の良いシート状の素材をプリーツ折りした横長方形の気化フィルター３７が配設され、その下部は水槽部３６内の水に浸漬されている。
【００２１】
３８は気化フィルター３７を収納しているフィルターケースで、風路方向に空気を通過させるために開口していて、風路方向と平行な上下左右は気化フィルター３７を保持するために、容易に変形しない強度を有する所定の厚さの平板で構成している。
【００２２】
３９はフィルターケース３８の側面に設けられた中心軸で、本体２１に回転軸としてささえられ、フィルターケース３８が回転出来るようになっている。
【００２３】
４０はギヤモータで、フィルターケース３８を回転させる駆動軸を有し、フィルターケース３８の中心軸３９を回転させる。
【００２４】
以上の構成による動作を以下説明する。
【００２５】
送風装置３０によって吸込口３２から吸込まれた室内の乾燥した空気は、ヒータ３４を通過して加熱した後、ギヤモータ４０により回転させられて、両端部を水槽部３６の水に浸漬し、毛細管現象により全体が湿潤している気化フィルター３７を通過させ、湿った空気として吹出口３３から吹き出される。
【００２６】
このように、小型で効率よく加湿できる構成にすることによりコンパクト化を実現出来るものである。
【００２７】
【発明が解決しようとする課題】
しかしながら、上記の従来技術において、後者に示すものはフィルターケース３８を回転自在としていることから、フィルターケース３８が回転時対向する本体２１側の風路部分には、フィルターケース３８が回転可能となるように間隙を設ける必要がある。ところが、この間隙部分から風が多く漏れ、この漏れた風は図５のイに示すように気化フィルター３７の水分蒸発に寄与しないため加湿効率が悪くなるという新たな問題点があった。
【００２８】
【課題を解決するための手段】
本発明は上記の問題点を解決するためになされたものであり、水槽部と、この水槽部に一定の水位を保つように給水する給水用水タンクと、室内の乾燥した空気を取入れる吸込口と、室内に湿った空気を送る吹出口と、両口間を連絡する風路中に配設された送風装置と、この送風装置の出口側に配設されたヒータと、下端部を水槽部内の水に浸漬した気化フィルターと、該気化フィルターの周囲を保持するフィルターケースとにより構成され、前記送風装置によって吸込口から吸い込まれた室内の乾燥した空気をヒータを通過させて加熱した後、水槽部の水により湿潤した気化フィルターを通過させ、吹出口から吹き出すようにした加湿器において、前記フィルターケースは風路方向と平行に回転自在とし、風路方向に開口していて風路方向と平行な左右が平板で上下面は回転半径と同一半径の円弧状とし、且つ、前記フィルターケースが回転時に通過する風路の上面部は、前記フィルターケースの上下面と所定の間隙を保持すべく円弧形状としたものである。
【００２９】
これにより、フィルターケースの上下面と、それに対向する風路部との間隙は所定間隙で位置し、該間隙はフィルターケースの風路方向の長さ分の円弧形状となることから、この間隙を通過しようとする風の通過抵抗は非常に大きいものとなる。したがって該間隙部には風が通りにくくなり、風が漏れることなく気化フィルターを通過するようになるため、加湿効率の低下を防止することができる。
【００３０】
【発明の実施の形態】
以下本発明の一実施例を図１〜図３を参照して説明する。
【００３１】
図１は本発明の一実施例の加湿器の要部を示す正面断面図で、図２は同じく要部を示す側面断面図、図３は同じく気化フィルターの斜視図である。
【００３２】
図において、従来例で説明した同一部分は説明を省略する。
【００３３】
５０はフィルターケースで、気化フィルター３７を収納しているものであり、風路方向に空気を通過させるために開口していて、風路方向と平行な上下左右は気化フィルター３７を保持するために、容易に変形しない強度を有する所定の厚さの樹脂板で構成している。
【００３４】
また、フィルターケース５０は、側面に設けられた中心軸３９により回転できるようになっていて、フィルターケース５０の上下面５０ａは回転半径と同一半径の円弧形状になっている。そして、中心軸３９は本体２１に回転軸として支えられ、フィルターケース５０が風路方向に対して平行に回転できるようになっている。
【００３５】
４２は風路上面部で、フィルターケース５０が回転し、風路中に垂直に位置したときのフィルターケース５０の上下面５０ａに対向する本体２１側の風路の壁の部分であり、フィルターケース５０の上下面５０ａが回転して移動したとき、風路上面部４２と常に所定間隙を維持するようにフィルターケース５０の上下面５０ａと同様な円弧形状をしているものである。
【００３６】
以上の構成による動作を次に説明する。
【００３７】
加湿器を運転する際は、給水用水タンク２３に水を入れ、水槽部３６に設置することにより水槽部３６には一定水量の水が流れ出し、気化フィルター３７の下端部を満たし、気化フィルター３７は毛細管現象により水を吸上げ湿潤する。
【００３８】
次に、ギヤモータ４０を通電してフィルターケース５０を回転させ、気化フィルター３７の上端部を水槽部３６の水に浸すようにすることにより、気化フィルター３７は全体がまんべんなく水を吸い上げ湿潤するようになる。
【００３９】
このような状態で送風装置３０を駆動すると、吸込口３２から吸い込んだ室内の乾燥した空気は、送風装置３０の出口部に設けたヒータ３４により加熱され、この加熱された温風は湿潤した気化フィルター３７を通過して、気化フィルター３７内の水を気化させて吹出口３３へ吹き込まれ、該吹出口３３から室内に放出される。
【００４０】
この時、フィルターケース５０の上下面５０ａと該上下面５０ａに対向して位置する本体２１側の円弧形状の風路上面部４２は所定間隙を有して位置しており、そしてこの所定間隙部はフィルターケース５０の風路方向の長さ分の円弧形状分となることから、この間隙部を通る風は通過抵抗が非常に大きくなるため、該間隙部には風が通りにくくなり、大部分の風が気化フィルター３７を通過するようになるため、気化フィルター３７の気化効率が低下することを防止することができる。
【００４１】
また、気化フィルター３７の上部の吸い上げた水が気化して無くなってきた頃のタイミングで、ギヤモータ４０を通電してフィルターケース３８を回転させ、これまで水槽部３６に漬かっていなかった気化フィルター３７の上端部を水槽の水に浸漬させる様に動かし、そこで止め、水を吸い上げさせることにより気化フィルター３７の全体が湿潤するようにしている。
【００４２】
【発明の効果】
以上説明したように、本発明は、フィルターケースの上下面は回転半径と同一半径の円弧状とし、且つ、フィルターケースが回転時に通過する風路の上面部は、前記フィルターケースの上下面と所定の間隙を保持すべく円弧形状としたものであるので、この間隙はフィルターケースの風路方向の長さ分の円弧形状となることから、この間隙を通過しようとする空気の通過抵抗は非常に大きいものとなり、空気が漏れることなく気化フィルターを通過するようになるため、加湿効率の低下を防止することができる。
【図面の簡単な説明】
【図１】本発明の一実施例の加湿器の要部を示す正面断面図である。
【図２】同じく要部を示す側面断面図である。
【図３】同じく気化フィルターの斜視図である。
【図４】従来例の加湿器の要部を示す正面断面図である。
【図５】別の従来例の加湿器の要部を示す正面断面図である。
【図６】同じく要部を示す側面断面図である。
【図７】同じく要部を示す気化フィルターの斜視図である。
【符号の説明】
２３  給水用水タンク
３０  送風装置
３２  吸込口
３３  吹出口
３４  ヒータ
３６  水槽部
３７  気化フィルター
４２  風路上面部
５０  フィルターケース
５０ａ  上下面
【図１】
2005037011.tif 000003
【図２】
2005037011.tif 000004
【図３】
2005037011.tif 000005
【図４】
2005037011.tif 000006
【図５】
2005037011.tif 000007
【図６】
2005037011.tif 000008
【図７】
2005037011.tif 000009